(57)【要約】  【課題】  ジャケットが掛かった状態のハンガーにスラックスをシワにせず、かつ滑り落ちない状態で掛けることが可能なハンガーを提供する。  【解決手段】  ジャケットを掛けるジャケット用ハンガー部材(10)と、スラックスを装着可能なスラックス装着部材(20)とを備えたハンガー(1)である。ジャケット用ハンガー部材(10)は、ハンガーヘッド(11)から末広に延びた二本のアーム部材(12,13)と、それぞれのアーム部材(12,13)の先端から互いに向き合うように固定された二本の支持棒(14,15)とを備える。スラックス装着部材(20)は、支持棒(14,15)における反アーム部材側の端部を挿入可能とした挿入穴(23,24)を両端に備える。支持棒(14,15)は、アーム部材側を軸支され、互いに向き合った状態では停止し、且つアーム部材側に向かって回動可能とする。スラックス装着部材(20)は、支持棒(14,15)を回動させた所定の角度において挿入穴(23,24)を支持棒(14,15)に挿入可能に形成した。【選択図】    図１
2009119157.tif 000002
【特許請求の範囲】
【請求項１】
ジャケットを掛けるジャケット用ハンガー部材と、スラックスを装着可能なスラックス装着部材とを備えたハンガーであって、
前記ジャケット用ハンガー部材は、
ハンガーヘッドから末広に延びた二本のアーム部材と、
それぞれのアーム部材の先端から互いに向き合うように固定された二本の支持棒とを備えて形成され、
前記スラックス装着部材は、
前記支持棒における反アーム部材側の端部を挿入可能とした挿入穴を両端に備え、
前記支持棒は、前記アーム部材側を軸支され、互いに向き合った状態では停止し、且つ前記アーム部材側に向かって回動可能とし、
前記スラックス装着部材は、前記支持棒を回動させた所定の角度において前記挿入穴を支持棒に挿入可能であるように形成されたことを特徴とするハンガー。
【請求項２】
前記支持棒は、筒状とすることによって両側の挿入穴は貫通した挿入孔とし、
その挿入孔の形状は、角丸矩形に形成されていることを特徴とする請求項１記載のハンガー。
【請求項３】
前記スラックス装着部材には、装着部材本体の一端に固定され、筒面部を介して他端に向かってスラックスを固定するためのストラップを備え、
そのストラップは、スラックスを筒面部との間で挟んで固定することがな可動型であることを特徴とする請求項１または請求項２のいずれかに記載のハンガー。
【請求項４】
前記支持棒の形状が矩形に形成されていることを特徴とする請求項１から請求項３のいずれかに記載のハンガー。
【請求項５】
前記支持棒は、その長さを変更可能な機構を備えたことを特徴とする請求項１から請求項４のいずれかに記載のハンガー。
【請求項６】
ジャケットを掛けるジャケット用ハンガー部材と、スラックスを装着可能なスラックス装着部材とを備えたハンガーであって、
前記ジャケット用ハンガー部材は、ハンガーヘッドから末広に延びた二本のアーム部材と、
それぞれのアーム部材の先端から互いに向き合うように固定された二本の支持棒とを備えて形成され、
前記支持棒は、前記ジャケット用ハンガー部材の端部を挿入可能とした挿入穴を両端に備えるとともに、前記アーム部材側を軸支され、互いに向き合った状態では停止し、且つ前記アーム部材側に向かって回動可能とし、
前記スラックス装着部材は、前記支持棒を回動させた所定の角度において前記挿入穴に端部が挿入可能であるように形成されたことを特徴とするハンガー。
【請求項７】
ジャケットを掛けるジャケット用ハンガー部材と、スラックスを装着可能なスラックス装着部材とを備えたハンガーであって、
前記ジャケット用ハンガー部材は、
ハンガーヘッドから末広に延びた二本のアーム部材と、
それぞれのアーム部材の先端から反アーム部材側に向かって延伸した二本の縦部材と、
前記各アーム部材の先端から互いに向き合うように固定された二本の支持棒と、
その支持棒よりも反アーム部材側配置され、前記縦部材の中途部から互いに向き合うように固定された二本の第二支持棒と、
その第二支持棒よりも更に反アーム部材側配置され、前記縦部材の中途部から互いに向き合うように固定された第三支持棒と、
前記第二支持棒を支持する第二スラックス装着部材と、
前記第三支持棒を支持する第三スラックス装着部材と備えて形成され、
前記各スラックス装着部材は、
前記各支持棒における反アーム部材側の端部を挿入可能とした挿入穴を両端に備え、
前記各支持棒は、前記アーム部材側を軸支され、互いに向き合った状態では停止し、且つ前記アーム部材側に向かって回動可能とし、
前記各スラックス装着部材は、前記各支持棒を回動させた所定の角度において前記挿入穴を各支持棒に挿入可能であるように形成されたことを特徴とするハンガー。
【請求項８】
請求項７に記載のハンガーに接続可能な接続フレームを備えた載置型ハンガーユニットであって、
前記接続フレームは、複数の支持棒を支える縦フレームと、その縦フレームを支持する横フレームが、載置状態において二等辺三角形を形成していることを特徴とする載置型ハンガーユニット。
【請求項９】
前記接続フレームには複数の駆動部を有し、当該駆動部を折りたたむことで吊り下げ型ハンガーユニットとして変形可能であることを特徴とする請求項８記載のハンガーユニット。
【請求項１０】
ジャケットを掛けるジャケット用ハンガー部材と、スラックスを装着可能なスラックス装着部材とを備えたハンガーであって、
前記ジャケット用ハンガー部材は、
ハンガーヘッドから末広に延びた二本のアーム部材と、
それぞれのアーム部材の先端から互いに向き合うように固定された二本の支持棒とを備えて形成され、
前記スラックス装着部材は、
前記支持棒における反アーム部材側の端部との係合可能な係合構造を両端に備え、
前記支持棒は、前記アーム部材側を軸支され、互いに向き合った状態では停止し、且つ前記アーム部材側に向かって回動可能とし、
前記スラックス装着部材は、前記支持棒を回動させた所定の角度において支持棒との係合が可能であるように形成されたことを特徴とするハンガー。
【発明の詳細な説明】
【技術分野】
【０００１】
本発明は、洋服用のハンガーに関する。特に、着衣を掛ける際の操作性の向上および設置スペースの効率化に配慮したハンガーに関する。
【背景技術】
【０００２】
着衣を掛けるハンガーには、その用途に応じて多様な種類が存在する。
主に上半身に身に付ける着衣（上半身着）のみを掛けるハンガー（以下、「ジャケット専用ハンガー」）と記す、下半身に身に付ける着衣（下半身着）のみを吊すように固定するハンガー（以下、「スラックス専用ハンガー」）、ジャケットとスラックスの両方を掛けることが可能なハンガー（以下、両用型ハンガーと表記する）などが知られている。
【０００３】
ここで、ハンガーに関する先行技術として、特開２００１−２９２１０号公報を抽出した。
この技術は、洋服（ジャケット）を掛けた後にズボンを掛けやすくした洋服用ハンガーに関する技術であり、洋服（ジャケット）を掛ける洋服掛け部とズボン（スラックス）を掛けるズボン掛け部とが分離して構成されている。そして、すでに洋服（ジャケット）が掛かった洋服掛け部に、ズボンを掛けた状態のズボン掛け部を容易に装着することが可能となる。
【０００４】
上記のような発明が開示された背景としては、ハンガーの使用方法においては『ジャケットが掛けられたハンガーにはスラックスが掛けにくい』という問題があるからである。これは、着用していた洋服を脱ぐ場合、まず、ジャケットを抜いでハンガーに掛け、それからスラックスを掛ける、という順番で使用することが一般的なためである。すなわち、ジャケットとスラックスを着用している人が利用する場合、スラックスを最初に脱いでハンガーに掛け、その後でジャケットを掛けるという利用方法の人は極少数である。
【０００５】
【特許文献１】特開２００１−２９２１０号公報
【発明の開示】
【発明が解決しようとする課題】
【０００６】
しかしながら、上述した特許文献においては、以下のような問題が生じている。
まず、洋服掛け部に備えられた、ズボン掛け部の固定具は上面を開口した形状をなしているため、ズボン掛け部を上から降ろすようにして装着しなければならない。また、その装着動作の際にはズボン掛け部を水平にしないと装着固定しにくく、その動作は慎重に行わなければならず、両手が使えない場合や急いでいる時などは失敗しやすい。
なお、前記のズボン掛け部には滑り止め加工されているため、スラックスを掛けるとシワになってしまうこともある。
【０００７】
一方、既存のハンガーにおいては、設置スペースの問題もある。
ハンガーの設置スペースの効率化という観点からは、ジャケットが掛かった状態のハンガーに複数のスラックスを滑り落ちないようにして掛けたい、という要望があるからである。これは、既存の技術では解決されていない。
【０００８】
請求項１から請求項７および請求項１０に記載の発明の目的は、ジャケットが掛かった状態のハンガーにスラックスをシワにせず、かつ滑り落ちない状態で掛けることが可能なハンガーを提供することにある。
請求項８および請求項９に記載の発明の目的は、ジャケットが掛かった状態のハンガーに複数のスラックスをシワにせず、かつ滑り落ちない状態で掛けることができるとともに、設置スペースの効率化を図ることが可能なハンガーユニットを提供することにある。
【課題を解決するための手段】
【０００９】
（請求項１）
請求項１記載の発明は、ジャケットを掛けるジャケット用ハンガー部材(10)と、スラックスを装着可能なスラックス装着部材(20)とを備えたハンガー(1)を提供する。
すなわち、前記ジャケット用ハンガー部材(10)は、ハンガーヘッド(11)から末広に延びた二本のアーム部材(12,13)と、それぞれのアーム部材(12,13)の先端から互いに向き合うように固定された二本の支持棒(14,15)とを備えて形成され、前記スラックス装着部材(20)は、前記支持棒(14,15)における反アーム部材側の端部を挿入可能とした挿入穴(23,24)を両端に備え、前記支持棒(14,15)は、前記アーム部材側を軸支され、互いに向き合った状態では停止し、且つ前記アーム部材側に向かって回動可能とし、前記スラックス装着部材(20)は、前記支持棒(14,15)を回動させた所定の角度において前記挿入穴(23,24)を支持棒(14,15)に挿入可能であるように形成されたハンガーに係る。
【００１０】
「ジャケット用ハンガー部材(10)」の名称は、便宜的なものである。すなわち、ジャケット用ハンガー部材(10)は、上半身着であるジャケット、ブレザー、ワイシャツ、コートなどを掛けることができる。
「スラックス装着部材(20)」の名称もまた、便宜的なものである。すなわち、スラックス装着部材(20)は、下半身着であるスラックス、長短パンツ類、スカートなども装着することができる。
【００１１】
（作用）
まず、ジャケット用ハンガー部材(10)からスラックス装着部材(20)を外す。そしてジャケット用ハンガー部材(10)に上半身着（たとえばジャケット）を掛ける。掛けた後は、ハンガーヘッド(11)を、壁から突出する引っ掛け具やクローゼットの渡し棒などに引っ掛けておくことができる。
一方、ジャケット用ハンガー部材(10)とは別に、スラックス装着部材(20)にスラックスを掛ける。  ジャケット用ハンガー部材(10)のアーム部材(12,13)から延びた二本の支持棒(14,15)に対し、スラックス装着部材(20)を押し当てて支持棒(14,15)を上側（アーム部材側）に押し上げる。
すると、支持棒(14,15)はアーム部材(12,13)側に向かって回動するので、支持棒(14,15)の端部が挿入穴(23,24)に仮挿入される。そして、支持棒(14,15)は、下側（反アーム部材側）に回動することで、支持棒(14,15)が挿入穴(23,24)に挿入される。
すなわち、ジャケットが掛かった状態のハンガーにスラックスを掛けた状態で装着することができるため、ジャケットが邪魔になってスラックスが掛けにくいという問題に対応することができる。
特に、ジャケット用ハンガー部材に対して、スラックス装着部材を下側から押し上げるようにセットするので、従来技術（特許文献１）のように上側からセットするよりも安定性が向上する。これにより、スムーズに掛けることができ、ハンガーの使い勝手が向上する。
また、スラックスは半分に折り曲げた状態でスラックス装着部材に掛けられているので、全高を低く抑えることができる。すなわち、クローゼットやロッカーの高さに依存しないハンガーとなる。
【００１２】
（請求項２）
請求項２記載の発明は、請求項１記載のハンガーを限定したものである。
すなわち、前記支持棒(14,15)は、筒状とすることによって両側の挿入穴は貫通した挿入穴(23,24)とし、その挿入穴(23,24)の形状は、角丸矩形に形成されていることを特徴とする。
【００１３】
（作用）
角丸矩形に形成された挿入穴に支持棒が挿入されると、回転作用を抑制しつつ回転可能になる。つまり、挿入穴が円形に形成されていると、スラックス装着部材が支持棒に支持された状態で回転しやすくなり、スラックスが落ちてしまうおそれがある。一方、本発明のように挿入穴を角丸矩形に形成しておくことで、回転作用がある程度抑制されることになり、スラックス装着部材からスラックスが落ちにくくなる。また、スラックス装着部材は円形であるため、シワにもならず、挿入穴が角丸矩形であることから回転もするため、操作性を犠牲にすることもない。
【００１４】
（請求項３）
請求項３記載の発明は、請求項１または請求項２のいずれかに記載のハンガーを限定したものである。
すなわち、前記スラックス装着部材(20)には、装着部材本体(21)の一端に固定され、筒面部(22)を介して他端に向かってスラックスを固定するためのストラップ(25)を備え、そのストラップは、スラックスを筒面部(22)との間で挟むことが可能な可動型であることを特徴とする。
【００１５】
（作用）
装着部材本体(21)に掛けられたスラックスに対し、装着部材本体(21)の一端に固定されたストラップ(25)がスラックスを固定する。
ストラップ(25)は可動型に形成されているので、スラックスを挟む作業が容易となる。また、スラックスを挟むことで、スラックス装着部材から落脱しにくくなる。
【００１６】
（請求項４）
請求項４記載の発明は、請求項１から請求項３のいずれかに記載のハンガーを限定したものである。
すなわち、前記支持棒(14,15)の形状が矩形に形成されていることを特徴とする。
【００１７】
（作用）
支持棒を挿入穴に挿入する。支持棒および挿入穴の両方が円形である場合、回転作用が効き過ぎてスラックスが落脱してしまうおそれがある。
本請求項に係る発明では、支持棒の形状を矩形としているので、支持棒を挿入穴に挿入しても回転が抑制される。
したがって、スラックス装着部材は円形であるため、スラックス等をシワにせず、スラックス等の滑り落ちを抑制させることが可能となる。
【００１８】
（請求項５）
請求項５記載の発明は、請求項１から請求項４のいずれかに記載のハンガーを限定したものである。
すなわち、前記支持棒(14,15)は、その長さを変更可能な機構を備えたことを特徴とする。
【００１９】
（作用）
支持棒の長さを変更することで、支持棒の可動範囲を調整することができる。
これは、スラックス装着部材を支持棒に当てて上側に押し上げるときの引っ掛かり具合、スムーズさなどを好みの仕様に変更できる。これにより、自分の力加減に応じた好みの動作をするハンガーとしてカスタマイズ可能となり、使い勝手が向上する。
【００２０】
（請求項６）
請求項６記載の発明は、ジャケットを掛けるジャケット用ハンガー部材(10B)と、スラックスを装着可能なスラックス装着部材(20B)とを備えたハンガー(1B)を提供する。
すなわち、前記ジャケット用ハンガー部材(10B)は、ハンガーヘッド(11B)から末広に延びた二本のアーム部材(12B,13B)と、  それぞれのアーム部材(12B,13B)の先端から互いに向き合うように固定された二本の支持棒(14B,15B)とを備えて形成される。
前記支持棒(14B,15B)は、前記ジャケット用ハンガー部材(10B)の端部(23B,24B)を挿入可能とした挿入穴(17B,17B)を両端に備えるとともに、前記アーム部材側を軸支され、互いに向き合った状態では停止し、且つ前記アーム部材側に向かって回動可能とする。
前記スラックス装着部材(20B)は、前記支持棒(14B,15B)を回動させた所定の角度において前記挿入穴(17B,17B)に端部(23B,24B)が挿入可能であるように形成する。
【００２１】
（作用）
請求項６記載の発明は、請求項１記載のハンガーのバリエーションであり、支持棒と挿入穴の位置関係がそれぞれ反対となっている。
すなわち、ジャケット用ハンガー部材(10B)の支持棒(14B,15B)に挿入穴(17B,17B)を備え、この挿入穴(17B,17B)に、スラックス装着部材(20B)の端部(23B,24B)が挿入されることで、ジャケット用ハンガー部材(10B)にスラックス装着部材(20B)が装着されることとなる。  端部(23B,24B)の形状は三角形状に形成され、その先端部分は挿入穴(17B,17B)よりも小さい。このため、挿入穴(17B,17B)へ挿入できる。
【００２２】
（請求項７）
請求項７記載の発明は、ジャケットを掛けるジャケット用ハンガー部材(10)と、スラックスを装着可能なスラックス装着部材(20)とを備えたハンガー(1)を提供する。
すなわち、前記ジャケット用ハンガー部材(10)は、ハンガーヘッド(11)から末広に延びた二本のアーム部材(12,13)と、  それぞれのアーム部材(12,13)の先端から反アーム部材側に向かって延伸した二本の縦部材(18a,18b)と、  前記各アーム部材(12,13)の先端から互いに向き合うように固定された二本の支持棒(14,15)と、  その支持棒(14,15)よりも反アーム部材側配置され、前記縦部材(18a,18b)の中途部から互いに向き合うように固定された二本の第二支持棒(14b,15b)と、  その第二支持棒(14b,15b)よりも更に反アーム部材側配置され、前記縦部材(18a,18b)の中途部から互いに向き合うように固定された第三支持棒(14c,15c)と、  前記第二支持棒(14b,15b)を支持する第二スラックス装着部材(20b)と、  前記第三支持棒(14c,15c)を支持する第三スラックス装着部材(20c)と備えて形成される。
前記各スラックス装着部材(20,20b,20c)は、前記各支持棒(14,14b,14c,15,15b,15c)における反アーム部材側の端部を挿入可能とした挿入穴(23,24)を両端に備える。前記各支持棒(14,14b,14c,15,15b,15c)は、前記アーム部材側を軸支され、互いに向き合った状態では停止し、且つ前記アーム部材側に向かって回動可能としている。前記各スラックス装着部材(20, 20b, 20c)は、前記各支持棒(14,14b,14c,15,15b,15c)を回動させた所定の角度において、前記挿入穴(23,24)を各支持棒(14,14b,14c,15,15b,15c)に挿入可能であるように形成される。
【００２３】
（作用）
本発明は、請求項１に記載したハンガーのバリエーションであり、複数の支持棒およびスラックス装着部材を備えて構成されたものである。
支持棒を支える縦部材から各支持棒が略直角に延伸している。そして、各支持棒の数に応じてスラックス装着部材の挿入穴に支持棒が挿入される。すなわち、各スラックス装着部材に複数のスラックスを同時に掛けることができる。これにより、設置スペースの有効活用に寄与する。
【００２４】
（請求項８）
請求項８記載の発明は、請求項７に記載のハンガーに接続可能な接続フレーム(51,52,53,54,55,56)を備えた載置型ハンガーユニット(50)を提供する。
すなわち、前記接続フレーム(51,52,53,54,55,56)は、複数の支持棒(14,15)を支える縦フレーム(51,52)と、その縦フレーム(51,52)を支持する横フレーム(53,54,55,56)が、載置状態において二等辺三角形を形成していることを特徴とする載置型ハンガーユニットである。
【００２５】
（作用）
床面に載置可能なハンガーユニットと、複数のスラックスを掛けることが可能なハンガーとを接続機構を介して接続する。ハンガーユニットは、縦フレームと横フレームからなり、組み立てた際に二等辺三角形を構成している。二等辺三角形であると、下側に向かうにつれて各支持棒の位置が外側にずれていくのでスラックスを複数掛けても密着せずにシワにならない。
【００２６】
（請求項９）
請求項９記載の発明は、請求項８記載のハンガーユニット(50)を限定したものである。
すなわち、前記接続フレーム(51,52,53,54,55,56)には複数の駆動部(57)を有し、当該駆動部(57)を折りたたむことで吊り下げ型ハンガーユニットとして変形可能であることを特徴とする。
【００２７】
（作用）
ハンガーユニットの駆動部としては、床面に接している横フレームと、その横フレームと連結している縦フレームに設けられている。この駆動部を折りたたむことで、吊り下げ型のハンガーユニットを形成することができ、ジャケットが掛かった状態のハンガーに複数のスラックスを滑り落ちない状態で掛けることができるとともに設置スペースの効率化を図ることができる。
【００２８】
（請求項１０）
請求項１０に記載の発明は、ジャケットを掛けるジャケット用ハンガー部材と、スラックスを装着可能なスラックス装着部材とを備えたハンガーに係る。
前記ジャケット用ハンガー部材は、  ハンガーヘッドから末広に延びた二本のアーム部材と、  それぞれのアーム部材の先端から互いに向き合うように固定された二本の支持棒とを備えて形成される。
前記スラックス装着部材は、  前記支持棒における反アーム部材側の端部との係合可能な係合構造を両端に備える。
前記支持棒は、前記アーム部材側を軸支され、互いに向き合った状態では停止し、且つ前記アーム部材側に向かって回動可能である。
前記スラックス装着部材は、前記支持棒を回動させた所定の角度において支持棒との係合が可能であるように形成されている。
【発明の効果】
【００２９】
請求項１から請求項７および請求項１０に記載の発明によれば、ジャケットが掛かった状態のハンガーにスラックスをシワにせず、かつ滑り落ちない状態で掛けることが可能なハンガーを提供することができた。
請求項８から請求項９記載の発明によれば、ジャケットが掛かった状態のハンガーに複数のスラックスをシワにせず、かつ滑り落ちない状態で掛けることができるとともに、設置スペースの効率化を図ることが可能なハンガーユニットを提供することができた。
【発明を実施するための最良の形態】
【００３０】
以下、図面を参照して本発明に係る実施形態について説明する。ここで使用する図面は、図１から図９である。
図１は、ハンガーの全体構成を示した斜視図であり、図２は、スラックスが掛けられたスラックス装着部材をジャケット用ハンガー部材に掛ける状態を示した斜視図であり、図３は、ジャケットが掛けられたハンガー部材にスラックス装着部材をセットするための状態を示した斜視図であり、図４は、セット状態のハンガーを示した斜視図であり、図５は、支持棒の形状が異なるジャケット用ハンガー部材を示した斜視図であり、図６は、挿入穴の形状が異なるスラックス装着部材を示した斜視図であり、図７は、他のハンガーの構成を示した斜視図であり、図８は、三連型ハンガーの構成を示した斜視図であり、図９は、折りたたみ式ハンガーユニットの構成を示した斜視図である。
【００３１】
図１および図２に示すように、ハンガー１は、ジャケットを装着状態でもスラックスを簡単に装着可能なハンガーである。  このハンガー１は、ジャケットを掛けるジャケット用ハンガー部材１０と、スラックスを装着可能なスラックス装着部材２０とを備えて構成されている。
【００３２】
ジャケット用ハンガー部材１０は、ハンガーヘッド１１から末広に延びた二本のアーム部材１２，１３と、そのアーム部材１２，１３の先端に可動可能に接続された二本の支持棒１４、１５とを備える。  支持棒１４、１５は、アーム部材１２，１３との境界部分に設けられた孔１６に差し込まれている。支持棒１４、１５の可動方向としては、ハンガーヘッド１１側に向かって可動する。  可動領域としては、アーム部材１２，１３に密着するレベルまで可動させることもできるが、スラックス装着部材２０をセットできれば良いので、この点を考慮すると概ね５ｃｍ〜２０ｃｍあれば良い。
【００３３】
スラックス装着部材２０は、ロール状の装着部材本体２１の両側を貫通させた挿入穴２３，２４を備えている。
スラックス装着部材２０は、支持棒１４、１５における反アーム部材１２，１３側の端部を挿入可能とした挿入穴２３、２４を両端に備え、支持棒１４、１５を回動させた所定の角度において挿入穴２３、２４を支持棒１４、１５に挿入可能に形成されている。
この装着部材本体２１の筒面部２２に支持棒１４、１５を押し当てることで、支持棒１４，１５がアーム部材１２，１３側に押し上げられ、その押し上げ作用によって生じた空間を利用して挿入穴２３、２４に支持棒１４、１５が挿入されることで、スラックス装着部材２０がジャケット用ハンガー部材１０にセットされるのである。
装着部材本体２１は、樹脂などの滑りにくい素材を採用することで、スラックスを掛けたときの滑り落ちを防止している。また、スラックス装着部材２０をロール状に形成しているのは、スラックスを掛けたときにシワにしないように配慮しているからである。
【００３４】
また、スラックス装着部材２０には、スラックスを固定させるためのストラップ２５を備えている。このストラップ２５は、装着部材本体２１の一端に固定され、筒面部２２を介して装着部材本体２１の他端に向かって可動可能に形成されている。ストラップ２５は、装着部材本体２１に掛けたスラックスを筒面部２２との間で狭んで固定させる。
このストラップ２５を用いる場合は、例えば、衣替えなどにより長期着用しなくなる場合、簡単に落ちては困る場合などに利用すると良い。
【００３５】
図３は、ジャケット用ハンガー部材１０にジャケットが掛けられ、スラックス装着部材２０にスラックスが掛けられた状態を示す図であり、図４は、クローゼットやロッカーなどにハンガーがセットされた状態を示した図である。ハンガー１のセット方法は以下のように行う。
【００３６】
まず、ジャケット用ハンガー部材１０にジャケットを掛ける。次に、スラックス装着部材２０にスラックスを掛ける。この状態でジャケット用ハンガー部材１０の二本の支持棒１４、１５にスラックス装着部材２０の筒面部２２を当てると、支持棒１４、１５が上側に押し上げられる。
支持棒１４、１５が押し上がると、その押し上げ作用によってスラックス装着部材２０と支持棒１４、１５との間に空間が生じる。そして、押し上がった支持棒１４、１５が元の位置に復元する力が働き、挿入穴２３、２４に支持棒１４、１５が挿入されて嵌め込まれる。  すなわち、ジャケットが掛かった状態のハンガーに対し、スラックスを掛けたスラックス装着部材２０を装着することができる。
一連の作業は、ワンタッチ（一つのアクション）でできるので、ジャケットが邪魔になってスラックスが掛けにくい、という問題を改善できる。これによって、ジャケットを掛けた状態のハンガーにスラックスを掛けるという場合の使い勝手が向上する。また、スラックスは半分に折り曲げた状態でスラックス装着部材２０に掛けられているので全高を低く抑えることができる。すなわち、クローゼットやロッカーの高さに依存しない。
【００３７】
図５は、アーム部材１２、１３の先端の孔１６の形状およびその孔１６に接続する支持棒１４、１５の形状を変形させた支持棒１４ｂ、１５ｂを示した図である。
前述した支持棒１４、１５との違いは、支持棒の形状を矩形としたことである。また、孔１６と支持棒１４ｂ、１５ｂとの接続部分は、ビス１７によって可動可能に固定されている。このようにするとスラックス装着部材２０の挿入穴２３、２４に挿入された際、内部で回転しにくくなる。このため、スラックス自体をシワにすることなく、スラックスの滑り落ちも防止することができる。
【００３８】
図６は、挿入穴２３、２４の形状のバリエーションであり、角丸矩形に形成されたスラックス装着部材２０ｂである。
角丸矩形に形成された挿入穴２３ｂ、２４ｂに支持棒１４、１５が挿入されると、回転作用を抑制しつつ回転可能になる。つまり、挿入穴２３ｂ、２４ｂが円形に形成されていると、スラックス装着部材２０が支持棒１４、１５に支持された状態で回転しやすくなり、スラックスが落ちてしまうおそれがある。一方、本発明のように挿入穴２３ｂ、２４ｂを角丸矩形に形成しておくことで、回転作用がある程度抑制されることになり、スラックス装着部材２０からスラックスが落ちにくくなる。また、角丸矩形であることから回転もするため、操作性を犠牲にすることもない。そして、スラックスはシワにならない。
【００３９】
支持棒１４、１５の長さは可変可能に形成することもできる。支持棒１４、１５の長さを変更することで、支持棒の可動範囲を調整することができる。このようにすれば、スラックス装着部材２０の筒面部２２を支持棒１４、１５に当てて上側に押し上げるときの引っ掛かり具合やスムーズさなどを好みの仕様に変更できる。これにより、自分の力加減に応じた好みの動作をするハンガーとしてカスタマイズ可能となり、使い勝手が向上する。
【００４０】
図７に示すハンガー１Ｂは、図１に示したハンガー１のバリエーションであり、ハンガー１Ｂは、図１のハンガー１の支持棒と挿入穴の位置関係がそれぞれ反対となっている。
ハンガー１Ｂは、ジャケット用ハンガー部材１０Ｂは、ハンガーヘッド１１Ｂから末広に延びた二本のアーム部材１２Ｂ、１３Ｂと、各アーム部材１２Ｂ、１３Ｂの先端から互いに向き合うように固定された二本の支持棒１４Ｂ、１５Ｂとを備えて形成されている。支持棒１４Ｂ、１５Ｂは、ジャケット用ハンガー部材１０Ｂの端部２３Ｂ、２４Ｂを挿入可能とした挿入穴１７Ｂを両端に備える。また、アーム部材１２Ｂ、１３Ｂ側を軸支され、互いに向き合った状態では停止し、且つ前記アーム部材１２Ｂ、１３Ｂ側に向かって回動可能としている。
【００４１】
スラックス装着部材２０Ｂは、支持棒１４Ｂ、１５Ｂを回動させた所定の角度において挿入穴１７Ｂに端部２３Ｂ、２４Ｂが挿入可能であるように形成されている。  すなわち、ジャケット用ハンガー部材１０Ｂの支持棒１４Ｂ、１５Ｂに挿入穴１７Ｂを備え、この挿入穴１７Ｂに、スラックス装着部材２０Ｂの端部２３Ｂ、２４Ｂが挿入されることで、ジャケット用ハンガー部材１０Ｂにスラックス装着部材２０Ｂが装着されることとなる。また、端部２３Ｂ、２４Ｂの形状は概ね三角形状に形成された凸部であり、挿入穴１７Ｂよりも小さく形成されている。このため、挿入穴１７Ｂへの挿入操作が容易となる。
また、図示は省略しているが、アーム部材１２Ｂ、１３Ｂ、支持棒１４Ｂ、１５Ｂ、スラックス装着部材２０Ｂの太さを略同一に形成することもできる。このように形成すれば、ジャケット用ハンガー部材１０Ｂにスラックス装着部材２０Ｂを装着した際、統一感が生まれ、美観向上に寄与する。
【００４２】
(三連型ハンガー)
図７は、三連型ハンガー１Ａの構成を示した斜視図である。
三連型ハンガー１Ａは、ジャケット用ハンガー部材１０のアーム部材１２，１３と支持棒１４、１５との境界部分から下側に向かって縦部材１８ａ、１８ｂが延びている。この縦部材１８ａ、１８ｂから略直角に支持棒１４、１５よりも下側に第二支持棒１４ｂ、１５ｂが配置されている。また、第二支持棒１４ｂ、１５ｂよりも更に下側には、第三支持棒１４ｃ、１５ｃが配置され、各支持棒には、スラックス装着部材２０、２０ｂ、２０ｃが支持され、一つのジャケット、三つのスラックスを掛けることが可能なハンガーである。
【００４３】
一つのハンガーを設置するスペースで三つのスラックスを掛けることができる構成となっているので、スラックスをより多く掛けることができ、設置スペースの有効活用に寄与する。
【００４４】
なお、本実施形態においては、一つのジャケット、三つのスラックスを掛けることが可能な三連型ハンガーとしているが、これに限定されることはない。例えば、一つのジャケット、二つのスラックスを掛けることが可能なタイプ、一つのジャケット、四つのスラックスを掛けることが可能なタイプなどとしても良い。
【００４５】
(ハンガーユニット)
図８は、ハンガーユニット５０の構成を示した斜視図である。
ハンガーユニット５０は、図７に示した三連型ハンガー１Ａに接続機構を搭載した載置型ハンガーユニットである。接続機構（接続フレーム）とは、複数の支持棒１４、１５を支持する四本の縦フレーム５１ａ、５１ｂ、５２ａ、５２ｂと、それら縦フレーム５１ａ、５１ｂ、５２ａ、５２ｂに連結されて支持する四本の横フレーム５３、５４、５５、５６が、載置状態において二等辺三角形を形成したものである。
【００４６】
四本の横フレーム５３、５４、５５、５６の各先端部を駆動部５７によって接続されて矩形状に形成されている。これら駆動部５７に、横フレーム５３に接続された駆動部５７が、縦フレーム５１ａ、５１ｂの下端に接続され、横フレーム５４に接続された駆動部５７は、縦フレーム５２ａ、５２ｂの下端に接続されている。床面から垂直方向に延伸した縦フレーム５１ａ、５１ｂおよび縦フレーム５２ａ、５２ｂは、支持棒１４、１５を回動させる駆動部５７と、変形可能な変形型駆動部５８ａに接続されている。
【００４７】
横フレーム５５、５６の中途部に設けられた変形型駆動部５８ｂは、主に横フレーム５５、５６を折りたたむための機能を備えている。この駆動部５８ａ、５８ｂを折りたたむことで、吊り下げ型のハンガーユニットを形成することができる（図８の想像線参照）。  これにより、ジャケットが掛かった状態のハンガーに複数のスラックスを滑り落ちない状態で掛けることができるとともに設置スペースの効率化を図ることができる。
また、本発明のハンガーユニット５０は、縦フレームと横フレームが二等辺三角形をなすよう構成されている。このため、下側に向かうにつれて各支持棒の位置がずれていくのでスラックスを複数掛けても密着せずにシワにならない。
【図面の簡単な説明】
【００４８】
【図１】ハンガーの全体構成を示した斜視図である。
【図２】スラックスが掛けられたスラックス装着部材をジャケット用ハンガー部材に掛ける状態を示した斜視図である。
【図３】ジャケットが掛けられたハンガー部材にスラックス装着部材をセットするための状態を示した斜視図である。
【図４】セット状態のハンガーを示した斜視図である。
【図５】支持棒の形状が異なるジャケット用ハンガー部材を示した斜視図である。
【図６】挿入穴の形状が異なるスラックス装着部材を示した斜視図である。
【図７】ハンガーの全体構成を示した斜視図である。
【図８】三連型ハンガーの構成を示した斜視図である。
【図９】折りたたみ式ハンガーユニットの構成を示した斜視図である。
【符号の説明】
【００４９】
１  ハンガー
１Ｂ  ハンガー
１Ａ  三連型ハンガー
１０、１０Ｂ  ジャケット用ハンガー部材
１１、１１Ｂ  ハンガーヘッド
１２、１２Ｂ、１３、１３Ｂ  アーム部材
１４、１４Ｂ、１５、１５Ｂ  支持棒
１４ｂ、１５ｂ  第二支持棒
１４ｃ、１５ｃ  第三支持棒
１６  孔
１７  ビス
１８ａ、１８ｂ  縦部材
２０、２０ｂ、２０ｃ、２０Ｂ  スラックス装着部材
２１  装着部材本体
２２  筒面部
２３、２４  挿入穴（挿入孔）
２３Ｂ、２４Ｂ  端部
２５  ストラップ
５０  ハンガーユニット
５１、５２  縦フレーム
５３、５４、５５、５６  横フレーム
５７  駆動部
５８ａ、５８ｂ  変形型駆動部
【図１】
2009119157.tif 000003
【図２】
2009119157.tif 000004
【図３】
2009119157.tif 000005
【図４】
2009119157.tif 000006
【図５】
2009119157.tif 000007
【図６】
2009119157.tif 000008
【図７】
2009119157.tif 000009
【図８】
2009119157.tif 000010
【図９】
2009119157.tif 000011